(57)【要約】【課題】  簡単なてこの原理の応用と連接棒構造の設計により回転ディスプレイを正確に中空フレーム内にあって位置決めでき、製造上或いは組立上も便利で、使用上の便利性が高められた回転ディスプレイの位置決め機構の提供。【解決手段】  回転ディスプレイが中空フレーム内に枢設され並びに中空フレームに対して左右に回転し、中空フレームの上框と下框に位置決め孔が設けられ、位置決め機構が回転ディスプレイに組付けられ、且つそれは上連接棒と下連接棒がてこ装置に接続されてなり、操作手段の人為操作により、てこ装置が押動されて回転し並びに上、下連接棒を駆動して軸方向運動を発生させ、上、下連接棒がそれぞれ対応する中空フレームの位置決め孔と位置決め或いは離脱状態を形成する。【選択図】        図１
2005242975.tif 000002
【特許請求の範囲】
【請求項１】
回転ディスプレイの位置決め機構において、該回転ディスプレイは中空フレーム内に枢設され、並びに中空フレームに対して左右に回転し、該回転ディスプレイはカバーと該カバー内に収容されたスクリーンを具え、そのうち中空フレームは上框、下框を具え、そのうち上框はその内縁に少なくとも一つの上位置決め孔が凹設され、下框はその内縁に少なくとも一つの下位置決め孔が凹設され、該位置決め機構は少なくとも一組とされ、それは上述の回転ディスプレイのカバーの内表面に組付けられ並びに中央より離れた一側に位置し、且つ中空フレームの少なくとも一つの上位置決め孔と少なくとも一つの下位置決め孔に対応し、該位置決め機構はてこ装置、弾性手段、上連接棒、下連接棒、及び操作手段を具え、
該てこ装置はその中段の枢設点を以て回転ディスプレイのカバーの内表面に枢設され、且つこの枢設点がてこ装置を第１半部と第２半部に分割し、
該弾性手段は第１固定端と第２固定端を具え、そのうち第１固定端は回転ディスプレイのカバーの内表面に固定され、第２固定端はてこ装置に固定され並びにてこ装置に回転後の回復力を提供し、
該上連接棒の二端は上位置決め端と上連接端とされ、そのうち上連接端はてこ装置の第１半部に接続され、上位置決め端は中空フレームの上位置決め孔に対応し、
該下連接棒の二端は下位置決め端と下連接端とされ、そのうち下連接端はてこ装置の第２半部に接続され、下位置決め端は中空フレームの下位置決め孔に対応し、
該操作手段はてこ装置の枢設点以外の位置に接続されることを特徴とする、回転ディスプレイの位置決め機構。
【請求項２】
請求項１記載の回転ディスプレイの位置決め機構において、操作手段は連結端、及び施力端を具え、該連結端はてこ装置の第２半部に連結されたことを特徴とする、回転ディスプレイの位置決め機構。
【請求項３】
請求項２記載の回転ディスプレイの位置決め機構において、回転ディスプレイのカバーの前表面に少なくとも一つの長孔が開設され、操作手段の施力端にノブが組付けられ並びに該ノブが該少なくとも一つの長孔内にスライド自在に組み合わされたことを特徴とする、回転ディスプレイの位置決め機構。
【請求項４】
請求項１記載の回転ディスプレイの位置決め機構において、位置決め機構は少なくとも一つの案内溝を具え、それはカバーの内表面に固定されて下連接棒を収容することを特徴とする、回転ディスプレイの位置決め機構。
【請求項５】
請求項１記載の回転ディスプレイの位置決め機構において、上連接棒に少なくとも一つの軸方向の長孔が開設され、且つカバーの内表面に少なくとも一つの案内凸点が凸設され、該案内凸点が該少なくとも一つの軸方向の長孔内に対応し挿入されたことを特徴とする、回転ディスプレイの位置決め機構。
【発明の詳細な説明】
【技術分野】
【０００１】
本発明は一種の回転ディスプレイの位置決め機構に係り、特にタブレットＰＣとしてもノートブック型コンピュータのディスプレイとしても使用できる両用型のポータブルコンピュータ装置の回転ディスプレイの位置決め機構に関する。
【背景技術】
【０００２】
一般に両用型のポータブルコンピュータはベースとディスプレイを具え、そのうちベースにはキーボードが組付けられ、且つディスプレイがベースに対して回転可能とされ、ディスプレイが回転して台座上面を被覆する時、この両用型ポータブルコンピュータはタブレットＰＣとして使用可能となり、またディスプレイを回して開ける時、この両用型ポータブルコンピュータはノートブック型コンピュータとして使用可能となる。
【０００３】
しかし、上述のディスプレイが中空フレーム内で回転する時、適当な位置決め構造により回転後のディスプレイを正確に中空フレーム内で位置決めできず、ヒンジを位置決めのために利用したものもあるが、一般にヒンジは大きな組付け空間を必要とし、製造或いは組立上非常に不便である。このほか、ヒンジは長く使用するとゆるみを発生しやすく、使用上、理想的とは言えない。
【発明の開示】
【発明が解決しようとする課題】
【０００４】
本発明の主要な目的は、一種の回転ディスプレイの位置決め機構を提供し、製造と組立の便利性を増し、並びに使用上の便利性を増すことにある。
【課題を解決するための手段】
【０００５】
請求項１の発明は、回転ディスプレイの位置決め機構において、該回転ディスプレイは中空フレーム内に枢設され、並びに中空フレームに対して左右に回転し、該回転ディスプレイはカバーと該カバー内に収容されたスクリーンを具え、そのうち中空フレームは上框、下框を具え、そのうち上框はその内縁に少なくとも一つの上位置決め孔が凹設され、下框はその内縁に少なくとも一つの下位置決め孔が凹設され、該位置決め機構は少なくとも一組とされ、それは上述の回転ディスプレイのカバーの内表面に組付けられ並びに中央より離れた一側に位置し、且つ中空フレームの少なくとも一つの上位置決め孔と少なくとも一つの下位置決め孔に対応し、該位置決め機構はてこ装置、弾性手段、上連接棒、下連接棒、及び操作手段を具え、
該てこ装置はその中段の枢設点を以て回転ディスプレイのカバーの内表面に枢設され、且つこの枢設点がてこ装置を第１半部と第２半部に分割し、
該弾性手段は第１固定端と第２固定端を具え、そのうち第１固定端は回転ディスプレイのカバーの内表面に固定され、第２固定端はてこ装置に固定され並びにてこ装置に回転後の回復力を提供し、
該上連接棒の二端は上位置決め端と上連接端とされ、そのうち上連接端はてこ装置の第１半部に接続され、上位置決め端は中空フレームの上位置決め孔に対応し、
該下連接棒の二端は下位置決め端と下連接端とされ、そのうち下連接端はてこ装置の第２半部に接続され、下位置決め端は中空フレームの下位置決め孔に対応し、
該操作手段はてこ装置の枢設点以外の位置に接続されることを特徴とする、回転ディスプレイの位置決め機構としている。
請求項２の発明は、請求項１記載の回転ディスプレイの位置決め機構において、操作手段は連結端、及び施力端を具え、該連結端はてこ装置の第２半部に連結されたことを特徴とする、回転ディスプレイの位置決め機構としている。
請求項３の発明は、請求項２記載の回転ディスプレイの位置決め機構において、回転ディスプレイのカバーの前表面に少なくとも一つの長孔が開設され、操作手段の施力端にノブが組付けられ並びに該ノブが該少なくとも一つの長孔内にスライド自在に組み合わされたことを特徴とする、回転ディスプレイの位置決め機構としている。
請求項４の発明は、請求項１記載の回転ディスプレイの位置決め機構において、位置決め機構は少なくとも一つの案内溝を具え、それはカバーの内表面に固定されて下連接棒を収容することを特徴とする、回転ディスプレイの位置決め機構としている。
請求項５の発明は、請求項１記載の回転ディスプレイの位置決め機構において、上連接棒に少なくとも一つの軸方向の長孔が開設され、且つカバーの内表面に少なくとも一つの案内凸点が凸設され、該案内凸点が該少なくとも一つの軸方向の長孔内に対応し挿入されたことを特徴とする、回転ディスプレイの位置決め機構としている。
【発明の効果】
【０００６】
本発明は、簡単なてこの原理と連接棒の設計により、回転ディスプレイ２が中空フレームにおいて正確に位置決め或いは位置決め解除され、即ち以上の構造は製造上及び組立上、いずれも極めて便利であり、且つ使用上もその便利性が高められている。
【発明を実施するための最良の形態】
【０００７】
本発明の回転ディスプレイの位置決め機構は、回転ディスプレイが中空フレーム内に枢設され、且つ回転ディスプレイが中空フレームに対して左右に回転可能とされ、また回転ディスプレイにカバー及びスクリーンが設けられ、該スクリーンはカバー内に収容される。このほか、中空フレームは上框、下框を具え、そのうち上框はその内縁に少なくとも一つの上位置決め孔が凹設され、下框はその内縁に少なくとも一つの下位置決め孔が凹設されている。
【０００８】
本発明の位置決め機構は少なくとも一組とされ、それは上述の回転ディスプレイのカバーの内表面に組付けられ並びに中央より一側に偏った位置に設けられ、且つ中空フレームの少なくとも一つの上位置決め孔と少なくとも一つの下位置決め孔に対応し、位置決め機構はてこ装置、弾性手段、上連接棒、下連接棒、及び操作手段を具えている。
【０００９】
上述のてこ装置はその中段の枢設点を以て回転ディスプレイのカバーの内表面に枢設され、且つこの枢設点がてこ装置を第１半部と第２半部に分割する。弾性手段は第１固定端と第２固定端を具え、そのうち第１固定端は回転ディスプレイのカバーの内表面に固定され、第２固定端はてこ装置に固定され並びにてこ装置に回転後の回復力を提供する。
【００１０】
このほか、上連接棒の二端は上位置決め端と上連接端とされ、そのうち上連接端はてこ装置の第１半部に接続され、上位置決め端は中空フレームの上位置決め孔に対応する。下連接棒の二端は下位置決め端と下連接端とされ、そのうち下連接端はてこ装置の第２半部に接続され、下位置決め端は中空フレームの下位置決め孔に対応する。
【００１１】
このほか、操作手段はてこ装置の枢設点以外の位置に接続される。操作手段に対する人為操作により、てこ装置がその枢設点を中心に回転し、並びに上連接棒と下連接棒を駆動して軸方向の運動を発生させ、これにより上連接棒の上位置決め端が中空フレームの上位置決め孔に対応し挿入されるか或いは上位置決め孔より離脱し、並びに下連接棒の下位置決め端が中空フレームの下位置決め孔に対応し挿入されるか或いは下位置決め孔より離脱し、こうして回転ディスプレイが中空フレーム内に位置決めされるか、或いは回転ディスプレイの中空フレーム内で自由に回転する。
【００１２】
以上から分かるように、本発明は簡単なてこの原理と連接棒の設計により、回転ディスプレイを正確に中空フレームにおいて位置決め或いは離脱させることができ、即ち本発明の構造は製造上或いは組立上のいずれにおいても非常に便利であり、且つ使用上もその便利性を高めることができる。
【実施例１】
【００１３】
図１は本発明の立体分解図であり、回転ディスプレイ２を示しており、それは、中空フレーム３内に枢設され、中空フレーム３に対して左右に回転し、且つこの回転ディスプレイ２はカバー２１、及びスクリーン２２を具え、そのうちスクリーン２２はカバー２１内に収容されている。このほか、中空フレーム３は上框３１及び下框３２を具え、該上框３１の内縁に二つの上位置決め孔３１１が凹設され、下框３２の内縁に二つの下位置決め孔３２１が凹設されている。
【００１４】
図１、及び図２の本発明の位置決め機構の中空フレーム内での位置決めの表示図を参照されたい。そのうち、図１には二組の位置決め機構１が表示されており、それは、それぞれ回転ディスプレイ２のカバー２１の内表面２１１に組付けられ、並びに中央より離れたカバー２１の内表面２１１の二側に位置し、且つ各組の位置決め機構１はそれぞれ中空フレーム３の二つの上位置決め孔３１１及び二つの下位置決め孔３２１に対応している。
【００１５】
上述の各組の位置決め機構１はそれぞれてこ装置４、弾性手段５、上連接棒７、下連接棒８、及び操作手段６を具えている。そのうち、てこ装置４はその中段の枢設点４１でカバー２１の内表面２１１に枢設され、この枢設点４１はてこ装置４を第１半部４２と第２半部４３に分割している。弾性手段５は第１固定端５１及び第２固定端５２を具え、該第１固定端５１はカバー２１の内表面２１１に固定され、第２固定端５２はてこ装置４の第１半部４２の側縁に固定され、この弾性手段５はてこ装置４の回転後の回復力を提供する。
【００１６】
このほか、上連接棒７の二端は上位置決め端７１、及び上連接端７２とされ、そのうち、上連接端７２はてこ装置４の第１半部４２に接続され、且つ上位置決め端７１は中空フレーム３の上位置決め孔３１１に対応する。下連接棒８の二端は下位置決め端８１、及び下連接端８２とされ、そのうち、下連接端８２はてこ装置４の第２半部４３に接続され、且つ下位置決め端８１は中空フレーム３の下位置決め孔３２１に対応する。
【００１７】
このほか、操作手段６は連結端６１、及び施力端６２を具え、そのうち連結端６１はてこ装置４の第２半部４３に接続され、且つ施力端６２にノブ６３が組付けられ、このノブ６３は上述の回転ディスプレイ２のカバー２１の前表面に開設された長孔２１０内にスライド自在に組み合わされる。
【００１８】
本実施例では、弾性手段５はてこ装置４の上側に位置し、且つ操作手段６はてこ装置４の下側に位置し、また、上連接棒７はてこ装置４の上側に位置し、下連接棒８はてこ装置４の下側に位置する。
【００１９】
以上から分かるように、位置決め機構１は弾性手段５の付勢力によりてこ装置４の回転後の回復力を提供し、並びに上連接棒７の上位置決め端７１と下連接棒８の下位置決め端８１に外向きに突出した状態を維持させ、並びに中空フレーム３の上位置決め孔３１１と下位置決め孔３２１内に対応し位置決めさせる。このとき、回転ディスプレイ２は中空フレーム３内に位置決めされた状態を維持する。
【００２０】
図３は本発明の位置決め機構が中空フレームを離脱した状態を示す。図４は本発明の回転ディスプレイが中空フレーム内で回転する表示図である。回転ディスプレイ２を中空フレーム３内で自由に回転させたい時、操作手段６のノブ６３を押して操作手段６を上向きに軸方向に移動させると、操作手段６の連結端６１がてこ装置４を駆動し並びにてこ装置４をその枢設点４１で回転させ、また上連接棒７と下連接棒８を駆動しそれぞれに軸方向運動を発生させ、並びに上連接棒７の上位置決め端７１を中空フレーム３の上位置決め孔３１１より離脱させ、下連接棒８の下位置決め端８１を中空フレーム３の下位置決め孔３２１より離脱させる。この時、回転ディスプレイ２は位置決め解除され、並びに中空フレーム３内を自由に回転する。
【００２１】
また、回転ディスプレイ２が１８０度回転した後、同様に弾性手段５の付勢力によりてこ装置４が回復力を有し、並びに上連接棒７の上位置決め端７１と下連接棒８の下位置決め端８１が外向きに突出する状態を維持し、且つ再度中空フレーム３の上位置決め孔３１１と下位置決め孔３２１に対応し位置決めされ、こうして再度回転ディスプレイ２が中空フレーム３内に位置決めされる。
【００２２】
以上から分かるように、簡単なてこの原理と連接棒の設計により、回転ディスプレイ２が中空フレーム３において正確に位置決め或いは位置決め解除され、即ち以上の構造は製造上及び組立上、いずれも極めて便利であり、且つ使用上もその便利性が高められている。
【００２３】
本実施例中、位置決め機構１は更に二つの案内溝１１を具え、それはそれぞれ回転ディスプレイ２のカバー２１の内表面２１１に固定され、それは並びに下連接棒８に収容され、下連接棒８は案内溝１１の案内を受けて上下に軸方向に運動する。このほか、上連接棒７に軸方向の長孔７３が開設され、且つ回転ディスプレイ２のカバー２１の内表面２１１に案内凸点２１２が凸設され、この案内凸点２１２は軸方向の長孔７３に対応して挿入され、上連接棒７の上下の軸方向運動を案内する。
【００２４】
以上の実施例は本発明の実施範囲を限定するものではなく、本発明に基づきなしうる細部の修飾或いは改変は、いずれも本発明の請求範囲に属するものとする。
【図面の簡単な説明】
【００２５】
【図１】本発明の立体分解図である。
【図２】本発明の位置決め機構の中空フレーム内での位置決めの表示図である。
【図３】本発明の位置決め機構が中空フレームを離脱した状態の表示図である。
【図４】本発明の回転ディスプレイが中空フレーム内で回転する表示図である。
【符号の説明】
【００２６】
１  位置決め機構          １１  案内溝                ２  回転ディスプレイ
２１  カバー              ２１０  長孔                ２１１  内表面
２１２  案内凸点          ２２  スクリーン            ３  中空フレーム
３１  上框                ３１１  上位置決め孔        ３２  下框
３２１  下位置決め孔      ４  てこ装置                ４１  枢設点
４２  第１半部            ４３  第２半部              ５  弾性手段
５１  第１固定端          ５２  第２固定端            ６  操作手段
６１  連結端              ６２  施力端                ６３  ノブ
７  上連接棒              ７１  上位置決め端          ７２  上連接端
７３  長孔                ８  下連接棒                ８１  下位置決め端
８２  下連接端
【図１】
2005242975.tif 000003
【図２】
2005242975.tif 000004
【図３】
2005242975.tif 000005
【図４】
2005242975.tif 000006